(57)【要約】【課題】揺動選別棚の移送棚部の下方に風路を形成するために、二個の唐箕を設けた脱穀装置では大型化するという課題がある。唐箕に二つの送風口を設け脱穀装置では上下に大きくなる課題がある。【解決手段】移送棚部２４とシーブ２５と選別網５８とを有する揺動選別棚２２を設ける。唐箕１９の後部に形成した送風口６５の後側には、送風口６５からの送風を移送棚部２４の下面に向けて略垂直または前上がりに案内する上向き風路７０Ａを形成する。上向き風路７０Ａの上部から、選別風を移送棚部２４の下面に沿って後方へ案内する後向き風路７１を形成したことを特徴とする脱穀装置。【選択図】図２
2013042735.tif 000002
【特許請求の範囲】
【請求項１】
扱胴（１１）の下側に扱網（１８）を設けて脱穀室（１２）を形成し、該脱穀室（１２）の下側に、被処理物を受け止めて後方に移送する移送棚部（２４）と、該移送棚部（２４）の後側に配置され、被処理物中の穀粒を選別するシーブ（２５）と、シーブ（２５）の下方に設けた選別網（５８）とを有する揺動選別棚（２２）を設け、前記移送棚部（２４）の下方に唐箕（１９）を設けた脱穀装置において、該唐箕（１９）の後部に形成した送風口（６５）の後側には、送風口（６５）からの送風を前記移送棚部（２４）の下面に向けて略垂直または前上がりに案内する上向き風路（７０Ａ）を形成し、該上向き風路（７０Ａ）の上部から、選別風を移送棚部（２４）の下面に沿って後方へ案内する後向き風路（７１）を形成したことを特徴とする脱穀装置。
【請求項２】
請求項１において、前記上向き風路（７０Ａ）に、送風口（６５）からの送風を前記移送棚部（２４）の下面に向けて略垂直または前上がりに案内する上向き案内面（７４）を設け、前記揺動選別棚（２２）の移送棚部（２４）の下面には、上向き風路（７０Ａ）からの送風を後向きに変向する棚側案内面（７５）を設けたことを特徴とする脱穀装置。
【請求項３】
請求項１または請求項２において、前記シーブ（２５）には、後上がり傾斜姿勢のフィン（８３）を前後に所定間隔をおいて複数備え、該フィン（８３）のうちの前端のフィン（８３）の下端部を、前記移送棚部（２４）の終端下面よりも下方に位置させたことを特徴とする脱穀装置。
【請求項４】
請求項１または請求項２または請求項３において、前記送風口（６５）の後側に上側導風体（６８）および下側導風体（７７）を設け、上側導風体（６８）と下側導風体（７７）との間に中間風路（７８）を形成し、下側導風体（７７）の下方に下側風路（７９）を形成し、中間風路（７８）からの選別風の送風方向であって、前記揺動選別棚（２２）の下方に設けた一番棚先部材（５５）の上方に、該一番棚先部材（５５）よりも後上がりに急傾斜するプレート（８０）を設けたことを特徴とする脱穀装置。
【請求項５】
請求項４において、前記揺動選別棚（２２）の上方に、脱穀装置内の塵埃を外部に排出する吸引排塵ファン（４６）を設け、前記プレート（８０）の傾斜面の後方延長線上に、前記吸引排塵ファン（４６）の吸塵口（４６）Ａを臨ませたことを特徴とする脱穀装置。
【発明の詳細な説明】
【技術分野】
【０００１】
本発明は、脱穀装置に係るものである。
【背景技術】
【０００２】
従来、脱穀室の扱網の下方に、被処理物を受け止めて後方に移送する移送棚部と、被処理物中の穀粒を選別するシーブと、該シーブの下方の選別網とを有する揺動選別棚を設け、移送棚部の下方に前記選別網に向けて送風する唐箕と、前記移送棚部の下面からシーブの始端に向けて送風する第二唐箕を設けた構成は、公知である（特許文献１）。
また、従来、移送棚部の下方に唐箕ケーシングと唐箕ケーシング内の唐箕とを設け、唐箕ケーシングは、上側送風口と下側送風口の２個の送風口を設け、上側送風口に揺動選別棚のシーブの始端部を臨ませた構成は、公知である（特許文献２）。
【先行技術文献】
【特許文献】
【０００３】
【特許文献１】特開２０１１ー１５６３７号公報
【特許文献２】特開２００４−１６２００号公報
【発明の概要】
【発明が解決しようとする課題】
【０００４】
前記公知例のうち、前者のものは、二個の唐箕を設けているので、脱穀装置が大型化すると共に、回転伝動機構が複雑となる課題がある。
前記公知例のうち、後者のものは、唐箕は一つであるが、唐箕に二つの送風口を設けているので、唐箕ケーシングの構成が複雑であり、唐箕ケーシングの上側の送風口からの風路を唐箕ケーシングと移送棚部との間に形成しているため、脱穀装置が上下に大きくなる課題がある。
本願は、一つの唐箕が発生させる選別風を一つの送風口からシーブおよび選別網の二カ所に夫々送風することで、脱穀装置を小型化すると共に、選別精度および選別効率を向上させたものである。
【課題を解決するための手段】
【０００５】
請求項１記載の発明は、扱胴１１の下側に扱網１８を設けて脱穀室１２を形成し、該脱穀室１２の下側に、被処理物を受け止めて後方に移送する移送棚部２４と、該移送棚部２４の後側に配置され、被処理物中の穀粒を選別するシーブ２５と、シーブ２５の下方に設けた選別網５８とを有する揺動選別棚２２を設け、前記移送棚部２４の下方に唐箕１９を設けた脱穀装置において、該唐箕１９の後部に形成した送風口６５の後側には、送風口６５からの送風を前記移送棚部２４の下面に向けて略垂直または前上がりに案内する上向き風路７０Ａを形成し、該上向き風路７０Ａの上部から、選別風を移送棚部２４の下面に沿って後方へ案内する後向き風路７１を形成したことを特徴とする脱穀装置としたものであり、送風口６５からの選別風は、上向き風路７０Ａによって上向きとなって移送棚部２４の下面に向けて案内され、移送棚部２４の下面に当たった選別風は後方へ向きを変えてシーブ２５に向けて送風される。
請求項２記載の発明は、前記上向き風路７０Ａに、送風口６５からの送風を前記移送棚部２４の下面に向けて略垂直または前上がりに案内する上向き案内面７４を設け、前記揺動選別棚２２の移送棚部２４の下面には、上向き風路７０Ａからの送風を後向きに変向する棚側案内面７５を設けたことを特徴とする脱穀装置としたものであり、送風口６５からの選別風は、上向き案内面７４に当たり上向きとなって移送棚部２４の下面に向けて方向変換し、移送棚部２４の下面に当たった選別風を棚側案内面７５により効率よく後方へ風向を変換させ、シーブ２５に向けて送風を案内する。
請求項３記載の発明は、前記シーブ２５には、後上がり傾斜姿勢のフィン８３を前後に所定間隔をおいて複数備え、該フィン８３のうちの前端のフィン８３の下端部を、前記移送棚部２４の終端下面よりも下方に位置させたことを特徴とする脱穀装置としたものであり、移送棚部２４の下面に沿った案内された選別風が、移送棚部２４の終端部とフィン８３の間から上方に吹き上げる。
請求項４記載の発明は、前記送風口６５の後側に上側導風体６８および下側導風体７７を設け、上側導風体６８と下側導風体７７との間に中間風路７８を形成し、下側導風体７７の下方に下側風路７９を形成し、中間風路７８からの選別風の送風方向であって、前記揺動選別棚２２の下方に設けた一番棚先部材５５の上方に、該一番棚先部材５５よりも後上がりに急傾斜するプレート８０を設けたことを特徴とする脱穀装置としたものであり、プレート８０により一番棚先部材５５の上方を通る唐箕１９からの選別風をシーブ２５に向けて吹き上がるように案内し、唐箕１９からの選別風がシーブ２５間を強く吹き抜け、藁屑と穀粒との分離を促進させる。
請求項５記載の発明は、前記揺動選別棚２２の上方に、脱穀装置内の塵埃を外部に排出する吸引排塵ファン４６を設け、前記プレート８０の傾斜面の後方延長線上に、前記吸引排塵ファン４６の吸塵口４６Ａを臨ませたことを特徴とする脱穀装置としたものであり、プレート８０がシーブ２５の下方から吸引排塵ファン４６の吸塵口４６Ａに向けて吹き上がるように案内し、一層、唐箕１９からの選別風がシーブ２５間を強く吹き抜ける。
【発明の効果】
【０００６】
請求項１記載の発明では、一つの唐箕１９の送風口６５からの選別風を、シーブ２５の下方に設けた選別網５８のみならず、シーブ２５の始端部へも送風でき、選別効率を向上させることができ、上向き風路７０Ａにより略垂直または前上がりに送風するため、シーブ２５を揺動選別棚２２における前側の部位にまで設けることができるので、シーブ２５による選別能力が向上する。
請求項２記載の発明では、上記請求項１記載の発明の効果に加え、移送棚部２４の下面に当たった選別風を棚側案内面７５により効率よく後方へ風向を変換させるので、シーブ２５における選別効率を更に向上させることができる。
請求項３記載の発明では、上記請求項１または請求項２記載の発明の効果に加え、シーブ２５の始端側のフィン８３の下端部より上方に位置する移送棚部２４の下面に沿った案内された選別風が、移送棚部２４の終端部とフィン８３の間から上方に吹き上げるので、シーブ２５における選別効率を向上させることができる。
請求項４記載の発明では、上記請求項１または請求項２または請求項３記載の発明の効果に加え、プレート８０により選別風がシーブ２５の上方に向けて吹き上がるように案内でき、唐箕１９からの選別風がフィン８３間を強く吹き抜け、藁屑と穀粒との分離を促進させることができる。
請求項５記載の発明では、上記請求項４記載の発明の効果に加え、プレート８０の傾斜面によってシーブ２５に向けて案内された選別風で巻き上げた藁屑を吸引排塵ファン４６で効率的に排出することができる。
【図面の簡単な説明】
【０００７】
【図１】コンバインの側面図。
【図２】脱穀装置の縦断側面図。
【図３】唐箕付近の縦断側面図。
【図４】他の実施例の唐箕付近の縦断側面図。
【図５】揺動選別棚の側面図。
【図６】シーブの他の実施例の縦断側面図。
【図７】シーブの他の実施例の縦断側面図。
【図８】シーブの他の実施例の縦断側面図。
【図９】揺動選別棚の平面図。
【図１０】揺動選別棚の他の実施例の平面図。
【図１１】揺動選別棚の他の実施例の平面図。
【発明を実施するための形態】
【０００８】
本発明の一実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取部、５は脱穀装置３の側部に設けたグレンタンク、６はグレンタンク５の前側に設けた操縦部である。
前記脱穀装置３は、上部に扱歯１０を有する扱胴１１を略水平に軸装した脱穀室１２を設ける。脱穀室１２の一側には前記刈取部４により刈り取った穀稈を供給搬送する穀稈供給搬送装置１３の供給搬送チェン１４を設けている。なお、理解を容易にするため、便宜的に前後左右等の方向を示して以下説明するが、これにより構成が限定されるものではない。
扱胴１１は脱穀装置３の前板１６と脱穀室後板１７に軸装し、扱胴１１の主として下方側は扱網１８により包囲している。扱網１８の下方には唐箕１９の唐箕ケーシング２０を設ける。前記脱穀室１２の下方には前記唐箕１９の送風により穀粒と異物とを風選し得る風選室２１を形成し、風選室２１内には、唐箕１９の送風方向（前後方向）に往復揺動する揺動選別棚２２により構成した揺動選別装置２３を設ける。
【０００９】
揺動選別装置２３の構成は任意であるが、一例を示すと、前記揺動選別棚２２の始端部（前端部）を唐箕ケーシング２０の上方に位置させて移送棚部２４に形成する。移送棚部２４の上面には、突起や凹凸を設けて揺動選別棚２２の移送方向下手側に扱網１８からの落下物を移送するように構成する。
移送棚部２４の移送方向下手側にはシーブ２５を設ける。シーブ２５は前側のグレンシーブ２５Ａと後側のチャフシーブ２５Ｂにより構成している。
シーブ２５は、穀粒と異物とを選別するものであり、所定間隔をおいて揺動方向に複数並設する。グレンシーブ２５Ａは、薄い平板形状に形成し、移送方向の下手側（後側）が高くなるように傾斜させて設ける。チャフシーブ２５Ｂは傾斜角度調節自在に構成している。
チャフシーブ２５Ｂの移送方向の下手側（後側）にはストローラック２６を設ける。揺動選別棚２２の下方には一番コンベア２７を設け、一番コンベア２７の後側には二番コンベア２８を設ける。
【００１０】
前記穀稈供給搬送装置１３の設置側とは反対側の扱胴１１の後部（終端側）側方には、排塵処理装置３０を設ける。排塵処理装置３０は、扱胴１１の軸心と略平行な排塵処理胴３１を軸装し、脱穀室１２の後部に設けた排塵連通口３３（図２）により脱穀室１２と連通させて構成する。排塵処理胴３１の始端部は中板３４に軸装し、中板３４と脱穀室後板１７との間に扱網１８より落下しない藁屑を含む被処理物を排出する排出口３５を設ける。
排出口３５の前側部分は扱網１８よりも目合の大きい前側漏下部３６に形成し、前側漏下部３６の後側には前記前側漏下部３６よりも目合の大きい後側漏下部３７に形成し、後側漏下部３７の後側に落下部３８を形成し、落下部３８には落下ガイド３９を設けている（図２）。
【００１１】
前記前側漏下部３６は、前記排塵連通口３３と並ぶ位置に設け、前側漏下部３６は排出口３５に至った扱網１８より落下しない排藁の落下の際の抵抗となって、排出口３５からそのまま下方に落下排出させずに、排塵連通口３３から排塵処理装置３０へ移行するのを補助し、揺動選別装置２３の負荷を軽減させて、選別効率を向上させる。
即ち、排出口３５を開放構成とすると、排出口３５に至った扱網１８より落下しない排藁等の被処理物がそのまま下方に落下して排塵処理装置３０への移行効率が低下するが、扱網１８より落下しない被処理物のうちの更に前側漏下部３６から落下しない大きな被処理物は排塵連通口３３から排塵処理装置３０へ移行させ、排塵処理装置３０への移行効率を向上させ、全体として、選別精度および選別効率を向上させる。
４０，４１は仕切板である。
【００１２】
前記排塵処理装置３０の前側には、二番コンベア２８により回収された二番物を処理する二番処理装置４２を設ける。
二番処理装置４２の二番処理胴４４は、排塵処理胴３１と同心状に配置する。二番処理胴４４は、穀稈供給搬送装置１３の搬送方向と反対に揺動選別棚２２の始端部側上方に向けて被処理物を搬送するように構成すると共に、扱網１８の側方に位置している。
４６は吸引排塵ファン、４６Ａは吸塵口、４７は吸引排塵ファン４６のケーシングである。
しかして、扱網１８の存在しない脱穀室１２の終端側の部分のうちの前側部分は排塵連通部Ｈに形成し、排塵連通部Ｈ内に前記排塵連通口３３を形成する。
扱網１８の存在しない脱穀室１２の終端側の部分のうちの後側部分は刺さり粒回収部Ｓに形成する。前記排塵連通部Ｈおよび刺さり粒回収部Ｓ内には前記扱胴１１の後部を延長して臨ませる。
【００１３】
前記排塵連通部Ｈ内の前記扱胴１１の扱歯１０は、扱網１８の上方の扱胴１１の扱歯１０よりも扱胴１１の軸心方向の間隔を狭く（密）して設ける。
そのため、排塵連通口３３への被処理物の移行を円滑に効率よく行える。
また、排塵連通部Ｈと刺さり粒回収部Ｓの間に、縦の仕切板４１を設ける。
仕切板４１は、高速作業時の被処理物が増加しても、排塵処理装置３０への移行を促進し、刺さり粒回収部Ｓへの被処理物の流れ込みを抑制し、四番ロス発生を軽減させる。
しかして、揺動選別棚２０上には、前後二列の前後側ふるい部５０、５１を並設する。前側ふるい部５０および後側ふるい部５１は、取付部５２を揺動選別棚２２の側板５３に取付ける。取付部５２には後方に突出するふるい線５４を所定間隔を置いて複数並設する。
【００１４】
前記前側ふるい部５０と後側ふるい部５１は、前側ふるい部５０の終端部の下方に、後側ふるい部５１の始端部を位置させ、前後にオーバーラップさせる。
そのため、シーブ２５上の藁屑の落下を防ぎ、選別性能を向上させられる。
前記前側ふるい部５０は、その前端を前記脱穀室１２の終端下方に位置させる。
そのため、脱穀室１２の排出口３５から落下する藁屑を前側ふるい部５０が受け止めて、後方に移送し、シーブ２５上に藁屑が落下するのを防ぎ、選別性能を向上させられる。
また、前記前側ふるい部５０は、前記排出口３５の後側漏下部３７の後側部分の下方に位置させる。
そのため、排塵連通口３３の後側漏下部３７および落下部３８から落下する藁屑を前側ふるい部５０が受け止めて、後方に移送し、シーブ２５上に藁屑が落下するのを防ぎ、選別性能を向上させられる。
【００１５】
また、前記前側ふるい部５０は、揺動選別棚２２に設けた一番棚先部材５５の上方に設ける。
そのため、前側ふるい部５０には、一番棚先部材５５に案内された唐箕１９からの選別風が強く吹き抜け、藁屑と穀粒との分離を促進させる。
５６は取付部、５７は弾性案内部材である。
また、前記前側ふるい部５０の前端は、前記揺動選別棚２２のシーブ２５の下方に設けた選別網５８の後端とと同じか前寄りに位置させる。
そのため、一番コンベア２７への藁屑の落下を防止して、選別性能を向上させられる。
また、前記前側ふるい部５０の前端は、前記排出口３５のうち目合の大きくなった後側漏下部３７の下方に位置させる。
【００１６】
排出口３５では穀粒および藁屑が落下し、排出口３５のうち目合の大きくなった後側漏下部３７では藁屑の落下量が増加する傾向にあるが、後側漏下部３７の下方に前側ふるい部５０の前端を位置させているので、シーブ２５への藁屑の落下を抑制する。
前記シーブ２５は傾斜角度を調節自在とし、シーブ２５の傾斜角度調節に連動させて前側ふるい部５０と後側ふるい部５１の傾斜を変更する構成とする。
即ち、シーブ２５を起立させて、シーブ２５の間隔を広げると、前側ふるい部５０と後側ふるい部５１の傾斜は後上がりの急傾斜になる。
そのため、作業状態に応じた最適状態で選別できる。
【００１７】
しかして、前記唐箕ケーシング２０および唐箕１９は、揺動選別棚２２の移送棚部２４の下方に位置させる。唐箕ケーシング２０は前側を断面半円形状の前側円弧部６０に形成する。前側円弧部６０の下側には後側に至るに従い高く傾斜する下側傾斜部６１を一体状に形成する。前側円弧部６０の上側は後側に至るに従い低く傾斜する上側傾斜部６２に形成する。上側傾斜部６２の前端に略垂直の縦板部６３を形成する。縦板部６３の下部に下方に至るに従い前側に位置する中間傾斜部６４を形成し、中間傾斜部６４の下部と前記下側傾斜部６１の間に送風口６５を設ける。
唐箕ケーシング２０の送風口６５の後側には、上側導風体６８を設ける。前記上側導風体６８には、前記移送棚部２４の下面に向けて送風口６５からの送風を案内する案内面７０を設ける。上側導風体６８の上方の前記唐箕ケーシング２０には上側導風体６８と略平行で移送棚部２４の下面に向けて送風口６５からの送風を案内する前記縦板部６３を位置させる。
【００１８】
即ち、唐箕ケーシング２０の縦板部６３の前後位置を、揺動選別棚２２の移送棚部２４の後端よりも前側に位置させ、送風口６５からの送風を上側導風体６８と縦板部６３により上方に案内し、シーブ２５の前側部分に上側風路（後向き風路）７１を形成する。
そのため、前記排出口３５の前端よりも前側にシーブ２５を設けることができ、シーブ２５による前後方向の選別面積を増加させられる。
なお、移送棚部２４の終端よりも前側部分の揺動選別棚２２の下面には、送風口６５からの送風が通る開口部７２を形成する。
前記揺動選別棚２２の移送棚部２４は、前記扱網１８と略同じ長さとする。
そのため、脱穀室１２の漏下物を移送棚部２４で受け止めて左右方向に均平化させ、シーブ２５による選別作用を向上させる。
【００１９】
また、揺動選別棚２２の移送棚部２４を扱網１８と略同じ長さとしているので、その分、前記上側導風体６８と縦板部６３が立ち上げた選別風をシーブ２５に向けて送風でき、移送棚部２４からシーブ２５への被処理物の引継を良好にする作用も期待できる。
この場合、前記揺動選別棚２２の移送棚部２４の後端は、脱穀室１２の排出口３５に向けての送風口６５からの送風に干渉しない位置とすると、排出口３５からの藁屑のシーブ２５への落下を抑制しつつ、シーブ２５の選別を促進させられ、好適である。
また、移送棚部２４の後端は、前記二番コンベア２８により回収された二番物を二番処理装置４２に還元する二番還元装置（図示省略）の還元口７３の下方に臨ませると、還元させる二番物を移送棚部２４で均平化させてシーブ２５へ引き継げ、選別を良好にする。
【００２０】
前記揺動選別棚２２の開口部７２の後側には、前側にいたるに従い高く傾斜する案内プレート（上向き案内面）７４を設け、案内プレート７４と前記縦板部６３の間に上向き風路７０Ａを形成する。
そのため、唐箕ケーシング２０の上側導風体６８と縦板部６３による上向きに誘導された送風を、揺動選別棚２２の移送棚部２４の前側に向けて誘導し、その結果、送風は一層上向きになって上側風路７１に誘導され、唐箕１９の送風を効率よく上側風路７１に誘導する。
前記揺動選別棚２２の移送棚部２４の下面には、後上がりの棚側案内面７５を設ける。
そのため、唐箕ケーシング２０の上側導風体６８と縦板部６３による上向きに誘導された送風を、移送棚部２４の下面の棚側案内面７５により移送棚部２４の下面と平行方向に誘導し、その結果、移送棚部２４から落下する被処理物を後方への移送作用を向上させられる。
【００２１】
また、略後側に向けて開口する送風口６５からの送風を一旦上向きに誘導しつつ、移送棚部２４と平行方向に誘導する際に、案内プレート７４と棚側案内面７５とにより渦流発生を抑制しつつ誘導案内でき、上側風路７１内の送風効率を向上させられる。
図４は、他の実施例を示し、前記上側導風体６８の案内面７０は、前記唐箕ケーシング２０の縦板部６３と略平行に対峙するように設ける。
そのため、唐箕ケーシング２０の送風口６５からの送風は先ず上側導風体６８の案内面７０に当たり、上向きになり、上側導風体６８の案内面７０と唐箕ケーシング２０の縦板部６３により上側風路７１に誘導され、一層、唐箕１９の送風を効率よく上側風路７１に誘導する。
上記上側導風体６８の下面と下側導風体７７の上面との間の中間風路７８と下側導風体７７の下面の下方の下側風路７９を形成し、中間風路７８により選別風の送風方向であって、前記揺動選別棚２２の下方に設けた一番棚先部材５５に、該一番棚先部材５５よりも急な後上がりに傾斜するプレート８０を設ける（図２）。
【００２２】
そのため、プレート８０は、一番棚先部材５５の上方を通る唐箕１９からの選別風をシーブ２５に向けて吹き上がるように案内し、唐箕１９からの選別風がシーブ２５間を強く吹き抜け、藁屑と穀粒との分離を促進させる。
この場合、前記プレート８０は、該プレート８０の傾斜面の後方延長線が、前記揺動選別棚２２の終端上方に吸引排塵ファン４６の吸塵口４６Ａに臨ませる。
そのため、プレート８０と吸引排塵ファン４６の吸塵口４６Ａにより、一番棚先部材５５の上方を通る唐箕１９からの選別風を、一層、シーブ２５に向けて吹き上がるように案内し、唐箕１９からの選別風がシーブ２５間を強く吹き抜け、藁屑と穀粒との分離を促進させる。
また、前記プレート８０の上方に、前記前側ふるい部５０を設けると、唐箕１９からの選別風がプレート８０により案内されて前側ふるい部５０のふるい線５４の間を強く吹き抜け、藁屑と穀粒との分離を促進させられ、好適である。
【００２３】
前記シーブ２５は、排出口３５の落下部３８よりも前側のグレンシーブ２５Ａと後側のチャフシーブ２５Ｂにより構成し、後側のチャフシーブ２５Ｂは落下部３８からストローラック２６まで設ける（図２）。前側のグレンシーブ２５Ａの傾斜角度θ１よりも後側のチャフシーブ２５Ｂの傾斜角度θ２を急な上向きに構成する（図５）。
そのため、シーブ２５の前半のグレンシーブ２５Ａを寝かすことにより選別風を後方に送風して移送作用を強くして稈切れの混入を防止する。また、後半のチャフシーブ２５Ｂでは、立てることで選別風を上向きにし、被処理物の分離を促進して、穀粒の飛散による機外排出を防止する。
前記シーブ２５の始端側のフィン８３の下端部は、前記移送棚部２４の終端下面よりも下方に位置させる。
そのため、移送棚部２４の下面に沿った案内された選別風が、移送棚部２４の終端部と各シーブ２５の間から上方に吹き上げる。
【００２４】
図６は、シーブ２５の他の実施例を示し、シーブ２５の各フィン８３は、各フィン８３の上端の位置が後側に至るに従い低く配置し、上側を後上がりに傾斜させ、下側を前上がりに傾斜させ、断面形状を逆「Ｚ」形状に形成している。
そのため、シーブ２５のフィン８３の下側で選別風を受けやすくして、風選効率を向上させる。フィン８３の上下中間部分では被処理部を後方に跳ね出させ、上側の後上がりの傾斜部分で選別風を後方に誘導し、被処理物の移送作用を向上させられる。
図７は、シーブ２５の他の実施例を示し、シーブ２５の各フィン８３は、断面「く」の字形状とし、各フィン８３の上端の位置が後側に至るに従い低く配置する。
そのため、フィン８３の下側で選別風を受けやすくして、風選効率を向上させる。フィン８３の上側の後上がりの傾斜部分で選別風を後方に誘導し、被処理物の移送作用を向上させられる。また、フィン８３は断面「く」の字形状としているので、構成が簡素で安価にできる。
【００２５】
図８は、シーブ２５の他の実施例を示し、シーブ２５の前側のグレンシーブ２５Ａのフィン８３の下部を下向きの屈曲部８４に形成し、後側のチャフシーブ２５Ｂの各フィン８３の下部を横向きの屈曲部８５に形成する。
そのため、フィン８３の屈曲部８４により選別風を受けやすくして、移送作用を向上させ、フィン８３の屈曲部８５により選別風を吹き上げて選別精度を向上させられる。
前記揺動選別棚２２の移送棚部２４の後端は、扱胴１１の全長の略前側３／４の位置とする（図２）。
そのため、脱穀室１２の漏下物を移送棚部２４で受け止めて左右方向に均平化させ、シーブ２５による選別作用を向上させる。
図９は、他の実施例を示し、唐箕ケーシング２０の縦板部６３により移送棚部２４の下面に向けて送風口６５からの選別風が吹き上がるように構成し、この選別風が当たる移送棚部２４の部位には格子状に透孔（開口部）８６を設ける。
この透孔８６は穀粒よりも大とし、この透孔を設けた移送棚部２４の部位で穀粒を落下回収して、シーブ２５の選別負荷を軽減させ、全体して、選別効率を向上させられる。
【００２６】
前記透孔８６は、左右のみならず前後にも複数並設し、前側の透孔８６に比し後側の透孔８６を大きく開口させる（図９）。
そのため、前方の漏下量を後方に比べ少なくすることで、上側風路７１からの選別風を漏下物に均等に作用させられる。
また、左右に複数並設した透孔８６のうち、左右側の透孔８６に比し中央の透孔８６を大きく開口させる（図１０）。
そのため、左右端の選別風が弱い部分の漏下量を中央に比べ少なくすることで、上側風路７１からの選別風を漏下物に均等に作用させられる。
また、左右に複数並設した透孔８６のうち、穀稈供給搬送装置１３を設けた側の透孔８６に比し反穀稈供給搬送装置１３側の透孔８６を大きく開口させると（図１１）、漏下量の多い反穀稈供給搬送装置１３側で漏下させて、移送棚部２４上の被処理物を均一化し、選別効率を向上させられる。
【００２７】
（実施例の作用）
走行装置２により走行し、刈取部４で刈り取った穀稈は穀稈供給搬送装置１３の供給搬送チェン１４により搬送されて、脱穀室１２に供給され、脱穀室１２の扱胴１１で脱穀される。
脱穀された脱穀物は、扱網１８より揺動選別棚２２上に落下し、揺動選別棚２２の揺動と唐箕１９からの送風により選別され、穀粒は揺動選別棚２２の選別網から一番コンベア２８に回収され、一番コンベア２８により回収された穀粒はグレンタンク５に貯留される。
また、二番コンベア２８に回収された二番物は二番還元装置４５により二番処理装置４２に還元され、二番処理装置４２の二番処理胴４４により再処理されて揺動選別棚２２の始端部に拡散排出される。
【００２８】
また、脱穀室１２で脱穀された脱穀物のうち、扱網１８より落下しない脱穀物の一部は排塵連通口３３から排塵処理装置３０に入って処理される。
また、揺動選別棚２２上の処理物は風選室２１で風選され、揺動選別棚２２より落下しない処理物のうち藁屑・塵埃は吸引排塵ファン４２により機外に吸引排出される。
また、脱穀室１２で脱穀された脱穀物のうち、扱網１８より落下しない脱穀物の一部は、脱穀室１２の終端の排出口３５に至る。
排出口３５の前側部分は扱網１８よりも目合の大きい前側漏下部３６に形成し、前側漏下部３６の後側には前記前側漏下部３６よりも目合の大きい後側漏下部３７に形成しているので、前側漏下部３６により排出口３５に至った扱網１８より落下しない被処理物の全てがそのまま下方に落下せず、扱網１８より落下しない被処理物のうちの小さい被処理物だけを前側漏下部３６から揺動選別装置２３に落下させ、揺動選別装置２３の負荷を減少させる。
【００２９】
また、扱網１８より落下しない被処理物のうちの更に前側漏下部３６から落下しない大きな被処理物は排塵連通口３３から排塵処理装置３０へ移行させ、排塵処理装置３０への移行効率を向上させ、全体として、選別精度および選別効率を向上させる。
しかして、扱網１８の存在しない脱穀室１２の終端側の部分のうちの前側部分は排塵連通部Ｈに形成し、排塵連通部Ｈ内に排塵連通口３３を形成し、扱網１８の存在しない脱穀室１２の終端側の部分のうちの後側部分は刺さり粒回収部Ｓに形成し、排塵連通部Ｈおよび刺さり粒回収部Ｓ内にまで扱胴１１の後部を延長して臨ませ、排塵連通部Ｈ内の扱胴１１の扱歯１０は、扱網１８の上方の扱胴１１の扱歯１０よりも扱胴１１の軸心方向の間隔を狭くして設けているので、排塵連通口３３への被処理物の移行を円滑に効率よく行うことができる。
【００３０】
また、排塵連通部Ｈと刺さり粒回収部Ｓの間に、縦の仕切板４１を設けているので、高速作業時の被処理物が増加しても、排塵処理装置３０への移行を促進し、刺さり粒回収部Ｓへの被処理物の流れ込みを抑制し、四番ロス発生を軽減させる。
しかして、前記唐箕ケーシング２０および唐箕１９は、揺動選別棚２２の移送棚部２４の下方に位置させ、唐箕ケーシング２０の送風口６５の上方に縦板部６３を形成し、唐箕ケーシング２０の送風口６５の後側には、上側導風体６８と下側導風体７７とを設けているので、唐箕ケーシング２０の縦板部６３と上側導風体６８とにより、唐箕ケーシング２０の送風口６５からの送風を移送棚部２４の下面に向けて上昇させ、上昇した選別風は移送棚部２４の下面に沿って後方のシーブ２５に向かって、シーブ２５による選別を良好にする。
【００３１】
即ち、唐箕ケーシング２０の縦板部６３の位置を、揺動選別棚２２の移送棚部２４の後端よりも前側に位置させているので、上側導風体６８に当たった送風口６５からの送風は、縦板部６３により更に移送棚部２４の下面に向けて上方に案内され、移送棚部２４の下面に当たって後方へ送風方向が誘導される上側風路７１となって、シーブ２５および一番棚先部材５５の前側部分に向けて吹き抜ける。
そのため、排出口３５の前端よりも前側からシーブ２５を設けることができ、シーブ２５による前後方向の選別面積を増加させられる。
また、揺動選別棚２２の移送棚部２４は、扱網１８と略同じ長さとしているので、脱穀室１２の漏下物を移送棚部２４で受け止められ、移送棚部２４により左右方向に均平化してシーブ２５へ引き継げて、シーブ２５による選別作用を向上させられる。
【００３２】
また、揺動選別棚２２の移送棚部２４を扱網１８と略同じ長さとしているので、その分、上側導風体６８と縦板部６３が立ち上げた選別風をシーブ２５に向けて送風でき、移送棚部２４からシーブ２５への被処理物の引継を良好にする作用も期待できる。
この場合、揺動選別棚２２の移送棚部２４の後端は、脱穀室１２の排出口３５に向けての送風口６５からの送風に干渉しない位置とすると、排出口３５からの藁屑のシーブ２５への落下を抑制しつつ、シーブ２５の選別を促進させられ、好適である。
また、移送棚部２４の後端は、二番コンベア２８により回収された二番物を二番処理装置４２に還元する二番還元装置（図示省略）の還元口７３の下方に臨ませているので、還元させる二番物を移送棚部２４で均平化させてからシーブ２５へ引き継ぐことになって、シーブ２５における選別を良好にする。
【００３３】
揺動選別棚２２の開口部７２の後側には、前側にいたるに従い高く傾斜する案内プレート７４を設けているので、唐箕ケーシング２０の上側導風体６８と縦板部６３による上向きに誘導された送風を、揺動選別棚２２の移送棚部２４の前側に向けて誘導し、その結果、送風は一層上向きになって上側風路７１に誘導され、唐箕１９の送風を効率よく上側風路７１に誘導する。
揺動選別棚２２の移送棚部２４の下面には棚側案内面７５を設けているので、唐箕ケーシング２０の上側導風体６８と縦板部６３による上向きに誘導された送風を、移送棚部２４の下面の棚側案内面７５により移送棚部２４の下面と平行方向に誘導し、その結果、移送棚部２４から落下する被処理物を後方への移送作用を向上させられる。
また、略後側に向けて開口する送風口６５からの送風を一旦上向きに誘導しつつ、案内プレート７４と棚側案内面７５とにより、移送棚部２４の下面と平行方向に誘導するので、渦流発生を抑制しつつ誘導案内でき、上側風路７１内の送風効率を向上させられる。
【００３４】
図４の他の実施例では、上側導風体６８に唐箕ケーシング２０の縦板部６３と略平行に対峙する縦案内面７０を設けているので、唐箕ケーシング２０の送風口６５からの送風は先ず上側導風体６８の案内面７０に当たって上向きになり、上側導風体６８の案内面７０と唐箕ケーシング２０の縦板部６３により上側風路７１に誘導され、一層、唐箕１９の送風を効率よく上側風路７１に誘導する。
一番棚先部材５５の取付部６６Ａに、一番棚先部材５５よりも急な後上がりに傾斜するプレート８０を設けているので（図２）、プレート８０は、一番棚先部材５５の上方を通る唐箕１９からの選別風をシーブ２５に向けて吹き上がるように案内し、唐箕１９からの選別風がシーブ２５間を強く吹き抜け、藁屑と穀粒との分離を促進させる。
この場合、プレート８０の上方に、前側ふるい部５０を設けているので、唐箕１９からの選別風がプレート８０により案内されて前側ふるい部５０のふるい線５４の間を強く吹き抜け、藁屑と穀粒との分離を促進させられ、好適である。
【００３５】
しかして、シーブ２５は、排出口３５の落下部３８よりも前側のグレンシーブ２５Ａと後側のチャフシーブ２５Ｂにより構成し、後側のチャフシーブ２５Ｂは落下部３８からストローラック２６まで設ける。前側のグレンシーブ２５Ａよりも後側のチャフシーブ２５Ｂの傾斜を急に上向きに構成しているので、シーブ２５の前半のグレンシーブ２５Ａを寝かすことにより選別風を後方に送風して移送作用を強くして稈切れの混入を防止する。また、後半のチャフシーブ２５Ｂでは、立てることで選別風を上向きにし、被処理物の分離を促進して、穀粒の飛散による機外排出を防止する。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００３６】
１…機体フレーム、２…走行装置、３…脱穀装置、４…刈取部、５…グレンタンク、６…操縦部、１１…扱胴、１２…脱穀室、１３…穀稈供給搬送装置、１４…供給搬送チェン、１６…前板、１７…脱穀室後板、１８…扱網、１９…唐箕、２０…唐箕ケーシング、２１…風選室、２２…揺動選別棚、２３…揺動選別装置、２４…移送棚部、２５…シーブ、２６…ストローラック、２７…一番コンベア、２８…二番コンベア、３０…排塵処理装置、３１…排塵処理胴、３３…排塵連通口、３５…排出口、３６…前側漏下部３６、３７…後側漏下部３７、４２…二番処理装置、４４…二番処理胴、４６…吸引排塵ファン、５０…前側ふるい部、５１…後側ふるい部、５２…取付部、５３…側板、５４…ふるい線、５５…一番棚先部材、５８…選別網、６０…前側円弧部、６１…下側傾斜部、６２…上側傾斜部、６３…縦板部、６４…中間傾斜部、６５…送風口、６８…上側導風体、７０…案内面、７１…上側風路、７２…開口部、７３…還元口、７４…案内プレート、７５…棚側案内面、７７…下側導風体、７８…中間風路、７９…下側風路、８０…プレート、８３…フィン、８４…屈曲部、８５…屈曲部、８６…透孔。
【図１】
2013042735.tif 000003
【図２】
2013042735.tif 000004
【図３】
2013042735.tif 000005
【図４】
2013042735.tif 000006
【図５】
2013042735.tif 000007
【図６】
2013042735.tif 000008
【図７】
2013042735.tif 000009
【図８】
2013042735.tif 000010
【図９】
2013042735.tif 000011
【図１０】
2013042735.tif 000012
【図１１】
2013042735.tif 000013